(57)【要約】      （修正有）【課題】筐体に取り付けた際に筐体から伝熱プレートまでの距離が規定範囲に収まらない電池モジュールを容易にリワークすることができる電池モジュールの製造方法を提供する。【解決手段】電池モジュール２１が取り付けられる筐体１１の取付面を仮想面（筐体１１の側壁１３）としたときに、仮想面から第二本体部４３までの距離が規定距離よりも長いか否かを検査するステップと、規定距離よりも長い第二本体部４３を特定するステップと、規定距離よりも長い第二本体部４３を特定するステップにおいて特定された第二本体部４３における、筐体１１と対向する対向面４３ａに、液状の熱伝導材料を塗布することにより、当該熱伝導材料が硬化してなる第一熱伝導部材４５を形成し、仮想面から第一熱伝導部材４５までの距離を規定距離以内とするステップと、を含む。【選択図】図６
2017111872.tif 000002
【特許請求の範囲】
【請求項１】
第一側面と、前記第一側面と交差する第二側面と、を有し、前記第一側面に交差する第一方向に配列された複数の電池セルと、
前記電池セルに取り付けられ、前記第一側面に接触する第一本体部と、前記第二側面を覆うように前記第一本体部の一端から前記第一側面と交差する方向に延びる第二本体部と、を有する伝熱プレートと、を備える電池モジュールの製造方法であって、
前記電池モジュールが取り付けられる筐体の取付面を仮想面としたときに、前記仮想面から前記第二本体部までの距離が規定距離よりも長いか否かを検査する検査ステップと、
前記規定距離よりも長い前記第二本体部を特定する特定ステップと、
前記特定ステップにおいて特定された前記第二本体部における前記筐体と対向する対向面に、液状の熱伝導材料を塗布することにより、当該熱伝導材料が硬化してなる熱伝導部材を形成し、前記仮想面から前記熱伝導部材までの距離を前記規定距離以内とする再生ステップと、
を含む、電池モジュールの製造方法。
【請求項２】
前記特定ステップにおいて特定された前記第二本体部の前記対向面に枠状の治具を設置する治具設置ステップを更に含み、
前記再生ステップでは、前記治具設置ステップにおいて設置された前記枠状の治具の内側に、前記液状の熱伝導材料を塗布する、請求項１記載の電池モジュールの製造方法。
【請求項３】
前記再生ステップでは、前記検査ステップにおいて取得された前記距離に応じた分量の前記液状の熱伝導材料が塗布される、請求項２記載の電池モジュールの製造方法。
【請求項４】
前記検査ステップでは、前記第二本体部が延在する方向における複数の箇所で取得される前記距離に基づいて検査される、請求項１〜３の何れか一項記載の電池モジュールの製造方法。
【請求項５】
前記電池セルの前記第一側面と前記伝熱プレートの前記第一本体部とは、粘着性材料を介して固定されている、請求項１〜４の何れか一項記載の電池モジュールの製造方法。
【請求項６】
第一側面と、前記第一側面と交差する第二側面と、を有し、前記第一側面に交差する第一方向に配列された複数の電池セルと、
前記電池セルに取り付けられ、前記第一側面に接触する第一本体部と、前記第二側面を覆うように前記第一本体部の一端から前記第一側面と交差する方向に延びる第二本体部と、を有する伝熱プレートと、を有する電池モジュールを備える電池パックの製造方法であって、
前記電池モジュールが取り付けられる筐体の取付面を仮想面としたときに、前記仮想面から前記第二本体部までの距離が規定距離よりも長いか否かを検査する検査ステップと、
前記規定距離よりも長い前記第二本体部を特定する特定ステップと、
前記電池モジュールを前記筐体に取り付ける取付ステップと、
前記特定ステップにおいて特定された前記第二本体部と前記筐体との間に、液状の熱伝導材料を注入することにより、当該熱伝導材料が硬化してなる熱伝導部材を形成する再生ステップと、
を含む、電池パックの製造方法。
【請求項７】
前記再生ステップでは、前記検査ステップにおいて取得された前記距離に応じた分量の前記液状の熱伝導材料が注入される、請求項６記載の電池パックの製造方法。
【請求項８】
前記検査ステップでは、前記第二本体部が延在する方向における複数の箇所で取得される前記距離に基づいて検査される、請求項６又は７記載の電池パックの製造方法。
【請求項９】
前記電池セルの前記第一側面と前記伝熱プレートの前記第一本体部とは、粘着性材料を介して固定されている、請求項６〜８の何れか一項記載の電池パックの製造方法。
【請求項１０】
筐体に取り付けられる電池モジュールであって、
第一側面と、前記第一側面と交差する第二側面と、を有し、前記第一側面に交差する第一方向に配列された複数の電池セルと、
前記電池セルに取り付けられ、前記第一側面に接触する第一本体部と、前記第二側面を覆うように前記第一本体部の一端から前記第一側面と交差する方向に延びる第二本体部と、を有する伝熱プレートと、
前記第二本体部において前記筐体と対向する対向面に配置され、液状の熱伝導材料を塗布することにより、当該熱伝導材料が硬化してなる熱伝導部材と、
を備え、
前記熱伝導部材は、前記電池モジュールが取り付けられる筐体の取付面を仮想面としたときに、前記仮想面からの距離が規定距離よりも長い前記伝熱プレートに配置されており、その厚みは、前記仮想面からの距離が前記規定距離以内となるように設定されている、電池モジュール。
【請求項１１】
前記筐体への取り付け方向から前記第二本体部を平面視した場合に、前記熱伝導部材は、前記第二本体部の領域よりも内側の領域に配置されている、請求項１０に記載の電池モジュール。
【請求項１２】
請求項１０又は１１に記載の電池モジュールと、
前記電池モジュールが収容されると共に固定される筐体と、
前記筐体と前記電池モジュールとの間に配置されたシート状の熱伝導部材と、
を備える、電池パック。
【発明の詳細な説明】
【技術分野】
【０００１】
本発明は、電池モジュール及び電池パックの製造方法、電池モジュール、並びに電池パックに関する。
【背景技術】
【０００２】
電池ホルダに保持された状態の電池セルが複数配列されてなる電池モジュールが筐体等に取り付けられた電池パックが知られている。特許文献１には、電池ホルダに伝熱プレートを取り付け、当該伝熱プレートを筐体に直接又は間接的に接触させることにより放熱性を向上させることができる電池モジュール及び電池パックが開示されている。このような伝熱プレートを備える電池モジュールでは、放熱性維持の観点から、電池モジュールを筐体に取り付けた際の、伝熱プレートと筐体との距離が重要となる。
【先行技術文献】
【特許文献】
【０００３】
【特許文献１】特開２０１５−１５６３０３号公報
【発明の概要】
【発明が解決しようとする課題】
【０００４】
この様な状況を踏まえ、電池モジュールでは、電池モジュールを筐体に取り付けた際の、筐体（仮想面）から伝熱プレートまでの距離が規定範囲となるように管理されている。例えば、伝熱プレートごとに筐体からの距離が測定され、１つの伝熱プレートに対して複数の位置が測定される場合もある。このような測定の結果、上記規定範囲を満たさない電池モジュールも検出される。しかしながら、一方向に配列した電池セルを分解し、伝熱プレートの位置を正しく調整することによってリワーク（再生）することは、多大な時間を要する。
【０００５】
そこで、本発明の目的は、筐体に取り付けた際に筐体から伝熱プレートまでの距離が規定範囲に収まらない電池モジュールを容易にリワークすることができる電池モジュール及び電池パックの製造方法、電池モジュール、並びに電池パックを提供することにある。
【課題を解決するための手段】
【０００６】
本発明の電池モジュールの製造方法は、第一側面と、第一側面と交差する第二側面と、を有し、第一側面に交差する第一方向に配列された複数の電池セルと、電池セルに取り付けられ、第一側面に接触する第一本体部と、第二側面を覆うように第一本体部の一端から第一側面と交差する方向に延びる第二本体部と、を有する伝熱プレートと、を備える電池モジュールの製造方法であって、電池モジュールが取り付けられる筐体の取付面を仮想面としたときに、仮想面から第二本体部までの距離が規定距離よりも長いか否かを検査する検査ステップと、規定距離よりも長い第二本体部を特定する特定ステップと、特定ステップにおいて特定された第二本体部における筐体と対向する対向面に、液状の熱伝導材料を塗布することにより、当該熱伝導材料が硬化してなる熱伝導部材を形成し、仮想面から熱伝導部材までの距離を規定距離以内とする再生ステップと、を含む。
【０００７】
この電池モジュールの製造方法によれば、検査ステップにおいて仮想面から第二本体部までの距離が規定距離よりも長くなる第二本体部を有する伝熱プレートを有する電池モジュールであっても、当該第二本体部の対向面に、熱伝導材料が硬化してなる熱伝導部材を形成することにより、当該熱伝導部材と筐体との距離が規定距離以内となるようにしている。これにより、筐体に取り付けた際に筐体から伝熱プレートまでの距離が規定範囲に収まらない電池モジュールを、分解することなく容易にリワークすることができる。
【０００８】
本発明の電池モジュールの製造方法は、特定ステップにおいて特定された第二本体部の対向面に枠状の治具を設置する治具設置ステップを更に含み、再生ステップでは、治具設置ステップにおいて設置された枠状の治具の内側に、液状の熱伝導材料を塗布してもよい。
【０００９】
この電池モジュールの製造方法によれば、当該第二本体部の対向面に、熱伝導材料が硬化してなる熱伝導部材を容易に形成することができる。
【００１０】
再生ステップでは、検査ステップにおいて取得された距離に応じた分量の液状の熱伝導材料が塗布されてもよい。
【００１１】
この電池モジュールの製造方法によれば、筐体との距離が上記規定距離に足りない伝熱プレートに対して、確実に上記距離を満たすような熱伝導部材を形成することができる。
【００１２】
検査ステップでは、第二本体部が延在する方向における複数の箇所で取得される距離に基づいて検査されてもよい。
【００１３】
この電池モジュールの製造方法によれば、伝熱プレートにおける第二本体部が仮想面に対して平行に配置されない場合であっても、再生ステップにおいて塗布される熱伝導材料の分量を適切に算出することができる。
【００１４】
本発明の電池モジュールの製造方法では、電池セルの第一側面と伝熱プレートの第一本体部とは、粘着性材料を介して固定されていてもよい。
【００１５】
この電池モジュールの製造方法によれば、電池モジュール組立後の電池セルを分解し、伝熱プレートの位置を再調整することが困難である電池モジュールのリワークを容易に可能にする。
【００１６】
本発明の電池パックの製造方法は、第一側面と、第一側面と交差する第二側面と、を有し、第一側面に交差する第一方向に配列された複数の電池セルと、電池セルに取り付けられ、第一側面に接触する第一本体部と、第二側面を覆うように第一本体部の一端から第一側面と交差する方向に延びる第二本体部と、を有する伝熱プレートと、を有する電池モジュールを備える電池パックの製造方法であって、電池モジュールが取り付けられる筐体の取付面を仮想面としたときに、仮想面から第二本体部までの距離が規定距離よりも長いか否かを検査する検査ステップと、規定距離よりも長い第二本体部を特定する特定ステップと、電池モジュールを筐体に取り付ける取付ステップと、特定ステップにおいて特定された第二本体部と筐体との間に、液状の熱伝導材料を注入することにより、当該熱伝導材料が硬化してなる熱伝導部材を形成する再生ステップと、を含む。
【００１７】
この電池パックの製造方法によれば、検査ステップにおいて仮想面から第二本体部までの距離が規定距離よりも長くなる第二本体部を有する伝熱プレートが特定された場合であっても、電池モジュールを筐体に取り付けた後、第二本体部と筐体との間に熱伝導材料が硬化してなる熱伝導部材を注入することにより、第二本体部と筐体とを熱伝導部材を介して接触させている。これにより、筐体に取り付けた際に筐体から伝熱プレートまでの距離が規定範囲に収まらない電池モジュールを、分解することなく容易にリワークすることができる。
【００１８】
再生ステップでは、検査ステップにおいて取得された距離に応じた分量の液状の熱伝導材料が注入されてもよい。
【００１９】
この電池パックの製造方法によれば、筐体との距離が上記規定距離に足りない伝熱プレートに対して、確実に上記距離を満たすような熱伝導部材を形成することができる。
【００２０】
検査ステップでは、第二本体部が延在する方向における複数の箇所で取得される距離に基づいて検査されてもよい。
【００２１】
この電池パックの製造方法によれば、伝熱プレートにおける第二本体部が仮想面に対して平行に配置されない場合であっても、再生ステップにおいて注入される熱伝導材料の量を適切に算出することができる。
【００２２】
本発明の電池パックの製造方法は、電池セルの第一側面と伝熱プレートの第一本体部とは、粘着性材料を介して固定されていてもよい。
【００２３】
この電池パックの製造方法によれば、電池モジュール組立後の電池セルを分解し、伝熱プレートの位置を再調整することが困難である電池モジュールのリワークを容易に可能にする。
【００２４】
本発明の電池モジュールは、筐体に取り付けられる電池モジュールであって、第一側面と、第一側面と交差する第二側面と、を有し、第一側面に交差する第一方向に配列された複数の電池セルと、電池セルに取り付けられ、第一側面に接触する第一本体部と、第二側面を覆うように第一本体部の一端から第一側面と交差する方向に延びる第二本体部と、を有する伝熱プレートと、第二本体部において筐体と対向する対向面に配置され、液状の熱伝導材料を塗布することにより、当該熱伝導材料が硬化してなる熱伝導部材と、を備え、熱伝導部材は、電池モジュールが取り付けられる筐体の取付面を仮想面としたときに、仮想面からの距離が規定距離よりも長い伝熱プレートに配置されており、その厚みは、仮想面からの距離が規定距離以内となるように設定されている。
【００２５】
この構成の電池モジュールによれば、仮想面からの距離が規定距離よりも長くなる第二本体部を有する伝熱プレートを含む場合であっても、当該第二本体部の対向面に、熱伝導材料が硬化してなる熱伝導部材を形成することにより、筐体からの距離を規定距離以内としている。これにより、筐体に取り付けた際に、筐体からの距離が規定範囲に収まらない伝熱プレートを有する電池モジュールを、分解することなく容易にリワークすることができる。
【００２６】
本発明の電池モジュールは、筐体への取り付け方向から第二本体部を平面視した場合に、熱伝導部材は、第二本体部の領域よりも内側の領域に配置されていてもよい。言い換えれば、本発明の電池モジュールは、筐体への取り付け方向から第二本体部を平面視した場合に、熱伝導部材の周囲に第二本体部を視認可能に形成されていてもよい。
【００２７】
この構成の電池モジュールでは、第二本体部の対向面に液状の熱伝導材料からなる熱伝導部材を形成することが、例えば、枠状の治具等を利用することにより容易に可能になる。
【００２８】
本発明の電池パックは、上記の電池モジュールと、電池モジュールが収容されると共に固定される筐体と、筐体と電池モジュールとの間に配置されたシート状の熱伝導部材と、を備える。
【００２９】
この構成の電池パックによれば、リワークされた電池モジュールが熱伝導部材を介して筐体に取り付けられるので、より放熱性能に優れた電池パックを製造することが可能になる。
【発明の効果】
【００３０】
本発明によれば、筐体に取り付けた際に筐体から伝熱プレートまでの距離が規定範囲に収まらない電池モジュールを容易にリワークすることができる。
【図面の簡単な説明】
【００３１】
【図１】一実施形態に係る電池パックを示す斜視図である。
【図２】一実施形態に係る電池モジュールを示す斜視図である。
【図３】一実施形態に係る電池ホルダ、電池セル、及び伝熱プレートを示す分解斜視図である。
【図４】一実施形態における電池パックの製造方法の一例を示すフローチャートである。
【図５】一実施形態に係る電池パックの製造方法の一例を説明するための図である。
【図６】一実施形態に係る電池モジュールの断面図である。
【図７】（Ａ）及び（Ｂ）は、変形例に係る電池モジュールの製造方法の一工程を示す断面図である。
【発明を実施するための形態】
【００３２】
以下、図面を参照して一実施形態に係る電池パック１０について説明する。図面の説明において、同一要素には同一符号を付し、重複する説明を省略する。図面の寸法比率は、説明のものと必ずしも一致していない。
【００３３】
図１に示されるように、電池パック１０は、筐体１１を有している。筐体１１には複数の電池モジュール２１が収容されている。筐体１１は、四角箱状をなしており、矩形平板状の底板１２と、底板１２の周縁から立設する矩形平板状の側壁１３と、側壁１３によって囲まれる開口部を閉塞する矩形平板状の天板１４と、を有している。
【００３４】
図２に示されるように、電池モジュール２１は、複数の電池セル２３と、一対のブラケット２５，２５と、伝熱プレート４１と、第一熱伝導部材４５（図６参照）と、連結部材であるボルトＢ及びナットＮと、を有している。
【００３５】
電池セル２３は、例えば、リチウムイオン二次電池及びニッケル水素蓄電池などの二次電池である。電池セル２３は、第一側面２３ａと、第一側面２３ａと交差する第二側面２３ｂと、を有している。電池セル２３は、電池ホルダ２２に保持された状態で、第一側面２３ａに直交（交差）する第一方向Ｄに配列されている。
【００３６】
図３に示されるように、電池ホルダ２２は、第一被覆部３１と、第二被覆部３２と、第三被覆部３３と、第四被覆部３４と、一対の脚部３６，３６と、を有している。
【００３７】
第一被覆部３１は、矩形平板状に形成され、電池セル２３の底部を覆う部分である。第二被覆部３２及び第三被覆部３３は、第一被覆部３１の長手方向両端から立設する部分である。第二被覆部３２及び第三被覆部３３は、矩形平板状に形成され、電池セル２３の側面を覆う。第四被覆部３４は、矩形平板状に形成され、電池セル２３の一方の主面（厚み方向に直交する面）の一部を覆う部分である。第四被覆部３４は、第二被覆部３２の長手方向における第一端部３２ａ（第一被覆部３１が設けられる端部とは反対側の端部）と、第三被覆部３３の長手方向における第一端部３３ａ（第一被覆部３１が設けられる端部とは反対側の端部）とに接続されている。第四被覆部３４は、その厚み方向が電池セル２３の並設方向と一致し、長手方向が第二被覆部３２及び第三被覆部３３の対向方向と一致するように配置されている。第一被覆部３１、第二被覆部３２、第三被覆部３３に囲まれる領域は、電池セル２３が収容される収容部Ｓとなる。
【００３８】
第二被覆部３２及び第三被覆部３３の長手方向における第一端部３２ａ，３３ａには、各被覆部３２，３３と連設され、各被覆部３２，３３の長手方向に延びる矩形平板状の突出部３５が設けられている。また、第二被覆部３２及び第三被覆部３３の長手方向における第二端部３２ｃ、３３ｃには、四角柱状の脚部３６が設けられている。
【００３９】
図２に示されるように、一対のブラケット２５，２５は、第一方向Ｄに並設された電池セル２３の並設方向両端に設けられている。ブラケット２５は、挟持部２５ａと、固定部２５ｂと、固定部２５ｂに形成された挿通孔２５ｃと、を有している。電池モジュール２１は、ブラケット２５の固定部２５ｂが側壁１３に固定されることによって、筐体１１に固定される（図６参照）。具体的には、挿通孔２５ｃに挿通されるボルト２５ｄが側壁１３にねじ込まれることにより、ブラケット２５が筐体１１に固定される。
【００４０】
連結部材であるボルトＢ及びナットＮは、一対のブラケット２５，２５同士を連結する。両ブラケット２５には、ボルトＢが挿通されている。ボルトＢは、一方のブラケット２５から、他方のブラケット２５に向けて挿通されると共に、他方のブラケット２５を挿通した位置でナットＮに螺合されている。
【００４１】
図３に示されるように、伝熱プレート４１は、第一方向Ｄに互いに隣接する電池セル２３の間に配置される板状の部材である。伝熱プレート４１は、金属製の板材をＬ字状に屈曲させることで形成されており、電池セル２３の第一側面２３ａに接触すると共に矩形平板状の第一本体部４２と、第三被覆部３３の外面（第三被覆部３３の厚み方向の面において収容部Ｓとは反対側の面）を覆うと共に、第一本体部４２の長手方向一端から直角に屈曲する矩形平板状の第二本体部４３と、を有している。第二本体部４３は、第三被覆部３３を介して電池セル２３の第二側面２３ｂを覆っている。
【００４２】
伝熱プレート４１の第一本体部４２の一方の主面４２ａには、接着テープ（粘着性材料）４４が貼付されている。伝熱プレート４１の第一本体部４２は、接着テープ４４を介して電池セル２３が固定されている。接着テープ４４の例は、シリコーン系粘着剤を含んだ両面テープである。これにより、伝熱プレート４１と電池セル２３とが強固に固定される。
【００４３】
図６に示されるように、少なくとも一の伝熱プレート４１には、第二本体部４３の筐体１１に対向する対向面４３ａに、液状の熱伝導材料が硬化してなる固体状の第一熱伝導部材４５が配置されている。すなわち、電池モジュール２１は、第二本体部４３の対向面４３ａに液状の熱伝導材料が硬化してなる固体状の第一熱伝導部材４５が配置された伝熱プレート４１を有している。
【００４４】
第一熱伝導部材４５（液状の熱伝導材料）の例は、ポリウレタン樹脂である。固体状とは、一定の体積及び形状を有する状態であればよく、ゲル状であってもよい。また、第一熱伝導部材４５は、接着性を有してもよい。
【００４５】
第二熱伝導部材５１は、電池モジュール２１と側壁１３との間に配置されている。第二熱伝導部材５１は、シート状のＴＩＭ（Thermal Interface Material）である。第二熱伝導部材５１は、両面が粘着性を有するシート状の材料からなる部材である。また、この第二熱伝導部材５１は、絶縁性を有している。このような絶縁性を有する熱伝導部材として、金属フィラーを含まない熱伝導シートを用いることができる。また、このような第二熱伝導部材５１には、シリコーン系の熱伝導シートと、アクリル系の熱伝導シートとがある。シリコーン系の熱伝導シートを用いる場合には、耐寒性及び耐熱性に優れているため使用温度の範囲を広くすることができる。また、金属フィラーを使用していないシリコーン系の熱伝導シートは、温度及び周波数による電気特性の変化が小さいため絶縁材料に適する。一方、アクリル系のシートは、シロキサンガスの発生がないため、密閉空間における機械接点の接点障害、及び磨耗が発生しない。また、アクリル系のシートは、一般的にシリコーンより安価である。
【００４６】
次に、本実施形態の電池モジュール２１及び電池パック１０の製造方法の一例について、主に図４を用いて説明する。電池モジュール２１の製造方法では、まず、電池セル２３、電池ホルダ２２及び伝熱プレート４１を準備する。次に、電池ホルダ２２に電池セル２３を収容し、接着テープ４４が貼付された伝熱プレート４１を電池セル２３に接触させる。この作業を７回繰り返し、電池セル２３、電池ホルダ２２及び伝熱プレート４１からなる配列体を形成する。次に、一対のブラケット２５，２５によって上記配列体を挟み、一対のブラケット２５，２５同士を連結部材によって連結する。具体的には、一方のブラケット２５から、他方のブラケット２５に向けてボルトＢが挿通され、他方のブラケット２５を挿通した位置でナットＮによって螺合される。これにより、図２に示されるような電池モジュール２１が組み立てられる（ステップＳ１）。
【００４７】
次に、電池モジュール２１が取り付けられる筐体１１の側壁（取付面）１３を仮想面としたときに、仮想面から伝熱プレート４１の第二本体部４３までの距離が規定距離内にあるか否かを検査する（ステップＳ２：検査ステップ）。次に、仮想面から第二本体部４３までの距離が規定距離内にない（規定距離外）伝熱プレート４１を特定する（ステップＳ３：特定ステップ）。ここで、電池モジュール２１に仮想面から第二本体部４３までの距離が規定距離よりも長い（規定距離外の）伝熱プレート４１が無い場合（ステップＳ３：ＮＯ）には、当該電池モジュール２１はリワークの必要が無いと判断され、後述するステップＳ４〜ステップＳ７のリワーク（再生）工程が省略される。そして、当該電池モジュール２１は、筐体１１の側壁１３に取り付けられる（ステップＳ８）。
【００４８】
電池モジュール２１に仮想面から第二本体部４３までの距離が規定距離よりも長い（規定距離外）の伝熱プレート４１がある場合（ステップＳ３：ＹＥＳ）、後述するステップＳ４〜ステップＳ７のリワーク工程が実施される。具体的には、規定距離よりも長いと判定された伝熱プレート４１ごとに、第二本体部４３の第二本体部４３の対向面４３ａに塗布すべき液状の熱伝導材料の分量が算出される（ステップＳ４）。当該分量は、ステップＳ２において測定された距離に基づいて算出される。
【００４９】
次に、図５に示されるように、伝熱プレート４１の第二本体部４３を上面とし、仮想面に平行になるように、電池モジュール２１が設置される。次に、電池セル２３の自己放電を開始させる。次に、ステップＳ３において特定された第二本体部４３の対向面４３ａに、枠状の治具４８を設置する（ステップＳ５：治具設置ステップ）。治具４８は、枠状に形成されており、所定の厚みｔ１を（例えば、０．１ｍｍ〜２．０ｍｍ）有している。
【００５０】
次に、ステップＳ５において設置された枠状の治具４８の内側に、液状の熱伝導材料を塗布することにより、当該熱伝導材料が硬化してなる第一熱伝導部材を形成し、当該第一熱伝導部材４５と筐体１１との距離が規定距離内に収まるようにする（ステップＳ６：再生ステップ）。
【００５１】
次に、ステップＳ６に塗布された液状の熱伝導材料が硬化すると、ステップＳ５において設置された治具４８が取り外される（ステップＳ７）。このとき、仮想面から第二本体部４３（第一熱伝導部材４５の表面４５ａ）までの距離を再度測定してもよい。以上により、ステップＳ４〜ステップＳ７のリワーク工程が終了する。リワークされた電池モジュール２１は、筐体１１の側壁１３に取り付けられる（ステップＳ８）。具体的には、図６に示されるように、挿通孔２５ｃに挿通されるボルト２５ｄが側壁１３にねじ込まれることにより、ブラケット２５が筐体１１に固定される。以上、ステップＳ１〜ステップＳ８の工程を実施することにより、電池モジュール２１及び電池パック１０が製造される。
【００５２】
本実施形態の電池モジュール２１の製造方法及びこの製造方法により製造される電池モジュール２１によれば、ステップＳ２において仮想面（筐体１１の側壁１３）から第二本体部４３までの距離が規定距離よりも長い第二本体部４３を有する伝熱プレート４１を有する電池モジュール２１であっても、当該第二本体部４３の対向面４３ａに、当該熱伝導材料が硬化してなる第一熱伝導部材４５を形成することにより、当該第一熱伝導部材４５と筐体１１との距離を規定距離以内となるようにしている。これにより、筐体１１に取り付けた際に筐体１１から伝熱プレート４１までの距離が規定範囲に収まらない電池モジュール２１を、分解することなく容易にリワークすることができる。
【００５３】
本実施形態によれば、ステップＳ２で取得された距離に応じて液状の熱伝導材料が塗布されるので、上記規定距離に足りない伝熱プレート４１に対して、確実に上記規定距離を満たすような第一熱伝導部材４５が形成される。
【００５４】
本実施形態によれば、電池セル２３の第一側面２３ａと伝熱プレート４１の第一本体部４２とは、接着テープ４４を介して固定されるので、電池モジュール２１を組立後の電池セル２３を分解し、伝熱プレート４１の位置を正しく調整することが困難である電池モジュール２１のリワークを容易に可能にするので特に効果が大きい。
【００５５】
本実施形態によれば、枠状の治具４８を利用することにより、第二本体部４３における対向面４３ａに液状の熱伝導材料からなる第一熱伝導部材４５を形成することが容易に可能になる。
【００５６】
本実施形態によれば、リワークされた電池モジュール２１がシート状の第二熱伝導部材５１を介して筐体１１に取り付けられるので、より放熱性能に優れた電池パック１０を製造することが可能になる。
【００５７】
以上説明した種々の実施形態及び変形例は、本発明の趣旨を逸脱しない範囲で種々、組み合わせられてもよい。
【００５８】
上記実施形態では、第二本体部４３の対向面４３ａに設置された治具４８を用いて液状の熱伝導材料を塗布する例を挙げて説明したが、シート状かつ枠状の熱伝導部材を用いて液状の熱伝導材料を塗布してもよい。この場合、治具４８を取り外す工程を省略できる点で有利である。
【００５９】
上記電池モジュール２１の製造方法では、伝熱プレート４１の第二本体部４３に第一熱伝導部材４５を形成した後に電池モジュール２１を筐体１１に取り付ける例を挙げて説明したが、本発明はこれに限定されない。例えば、電池モジュール２１を取り付けた後に、伝熱プレート４１の第二本体部４３と筐体１１との間に第一熱伝導部材４５を形成してもよい。この場合、図４に示されるフローチャートのステップＳ１〜ステップＳ４までは、上記実施形態と同様である。伝熱プレート４１の測定を実施し、塗布量（注入量）を算出した後、電池モジュール２１を筐体１１に取り付ける。そして、伝熱プレート４１の第二本体部４３と筐体１１との間に、液状の熱伝導材料を注入して、当該熱伝導材料が硬化してなる第一熱伝導部材４５を形成する。この場合、チクソ性の高い熱伝導材料を用いると、第二本体部４３と筐体１１との間に熱伝導材料を充填することが容易になる。
【００６０】
この変形例に係る製造方法であっても、第二本体部４３と筐体１１とを第一熱伝導部材４５を介して接触させることができるので、筐体１１に取り付けた際に筐体１１から伝熱プレート４１までの距離が規定範囲に収まらない電池モジュール２１を、分解することなく容易にリワークすることができる。
【００６１】
変形例に係る製造方法では、上記実施形態と同様に、伝熱プレート４１の第二本体部４３と筐体１１との間に、ステップＳ２において取得された距離に応じた液状の熱伝導材料が注入されるので、規定距離に満たない伝熱プレート４１と筐体１１とを第一熱伝導部材４５を介して確実に接触させることができる。また、ステップＳ２において第二本体部４３が延在する方向における複数の箇所で取得される距離に基づいて検査することにより、伝熱プレート４１における第二本体部４３が仮想面に対して平行に配置されない場合であっても、伝熱プレート４１の第二本体部４３と筐体１１との間に注入される熱伝導材料の分量を適切に算出することができる。また、変形例に係る製造方法では、電池セル２３の第一側面２３ａと伝熱プレート４１の第一本体部４２とが接着テープ４４を介して固定されているような電池モジュール２１であっても容易にリワークが可能になる。
【００６２】
ステップＳ２の測定（検査）では、第二本体部４３が延在する方向における複数の箇所（Ｍ１，Ｍ２，Ｍ３）で測定される距離に基づいて検査を実施してもよい。この方法によれば、伝熱プレート４１における第二本体部４３が仮想面に対して平行に配置されていない場合（図７（Ａ）の例では、角度θのずれがある。）であっても、その傾きを適切に判定することでき、ステップＳ６において塗布される熱伝導材料の量を適切に算出することができる。この結果、図７（Ｂ）に示されるように、筐体１１（仮想面）から第一熱伝導部材４５の表面４５ａまでの距離を適切に規定距離以内に収めることができる。
【００６３】
上記実施形態又は上記変形例では、電池モジュール２１と筐体１１との間にシート状のＴＩＭである第二熱伝導部材５１を配置する例を挙げて説明したが、シート状の第二熱伝導部材５１に代えて、液状の熱伝導材料が硬化してなる第一熱伝導部材４５を配置してもよい。
【００６４】
このとき、伝熱プレート４１における第一本体部４２と第二本体部４３との交差角度を９０度よりも大きくしてもよい。この構成によれば、筐体１１の内壁面（側壁１３）に液状の熱伝導材料を塗布し、伝熱プレート４１の第二本体部４３を筐体１１の内壁面に対向するように熱伝導材料に接触させた際、伝熱プレート４１と熱伝導材料との間に気泡が発生したとしても、発生した気泡は、傾斜面に沿って移動する。これにより、熱伝導材料が硬化して第二熱伝導部材５１が形成されたとしても、伝熱プレート４１の第二本体部４３と第二熱伝導部材５１との間に気泡に起因した隙間が生じる可能性を低減することができる。すなわち、電池セル２３の放熱性を向上させることができる。
【００６５】
更に、第二本体部４３に、第二本体部４３の縁から延在する溝を設け、溝の深さを、第二本体部４３の縁に近づくにつれて大きくなるように形成してもよい。これにより、発生した気泡を溝に沿って第二本体部４３の縁まで移動させ、伝熱プレート４１の第二本体部４３と第二熱伝導部材５１との間から取り除くことが可能になる。
【００６６】
また、このとき、電池モジュール２１の電池セル２３、電池ホルダ２２及び伝熱プレート４１からなる配列体は、側壁１３から伝熱面までの距離が第一方向Ｄに沿って大きくなるように互いに拘束してもよい。このような構成とすれば、電池モジュールを筐体１１に固定するときに、第二熱伝導部材５１と伝熱面との間の空気が第一方向Ｄに沿って押し出され、第二熱伝導部材５１と伝熱面との間に気泡が残ることを抑制することができる。その結果、第二熱伝導部材５１と伝熱面との接触面積が増加し、熱伝達効率を向上することが可能となる。
【符号の説明】
【００６７】
１０…電池パック、１１…筐体、１３…側壁、２１…電池モジュール、２２…電池ホルダ、２３…電池セル、４１…伝熱プレート、４２…第一本体部、４２ａ…主面、４３…第二本体部、４３ａ…対向面、４４…接着テープ（粘着性材料）、４５…第一熱伝導部材（液状の熱伝導材料が硬化してなる熱伝導部材）、４８…治具、５１…第二熱伝導部材。
【図１】
2017111872.tif 000003
【図２】
2017111872.tif 000004
【図３】
2017111872.tif 000005
【図４】
2017111872.tif 000006
【図５】
2017111872.tif 000007
【図６】
2017111872.tif 000008
【図７】
2017111872.tif 000009